(57)【要約】【課題】本発明の芯金は、引っ張り補強部材としてスチールコードを用いないクローラの新規な芯金を提供するもので、部材が少なく、しかもその組み立ても容易であり、スチールコードレスクローラが容易に構成される。【解決手段】一対の膨出部とこの膨出部を繋ぐ架橋部とからなる連結ピンと、スプロケットとの係合部とその左右に伸びる翼部と前記係合部を挟んでクローラの内周面より突出する一対の突起とよりなる芯金で、芯金の翼部及び係合部をもって上下に分割し、分割翼部に前記連結ピンの膨出部が二つ入る開放部と、この開放部に連なり、芯金の前後方向に連結ピンの架橋部が嵌り込む開口部を形成し、隣り合う芯金の開口部に連結ピンの架橋部を嵌め込むと共に、開放部内に連結ピンの膨出部を嵌め込み、分割翼部を一体とした。【選択図】図１１
2007062555.tif 000002
【特許請求の範囲】
【請求項１】
一対の膨出部とこの膨出部を繋ぐ架橋部とからなる連結ピンと、スプロケットとの係合部とその左右に伸びる翼部と前記係合部を挟んでクローラの内周面より突出する一対の突起とよりなる芯金であって、芯金の翼部及び係合部をもって上下に分割し、分割翼部に前記連結ピンの膨出部が二つ入る開放部と、この開放部に連なり、芯金の前後方向に連結ピンの架橋部が嵌り込む開口部を形成し、隣り合う芯金の開口部に連結ピンの架橋部を嵌め込むと共に、開放部内に連結ピンの膨出部を嵌め込み、分割翼部を一体としたことを特徴とするクローラの芯金。
【請求項２】
開放部は分割翼部の双方に形成した窪みによって構成した請求項１記載のクローラの芯金。
【請求項３】
上下の分割翼部に固定用穴を穿孔し、固定部材をもって上下の分割翼部を固定した請求項１又は２記載のクローラの芯金。
【請求項４】
翼部の開放部の左右に固定用穴を穿孔した請求項３記載のクローラの芯金。
【請求項５】
膨出部が球形状をなす請求項１乃至４いずれか１記載のクローラの芯金。
【請求項６】
膨出部が柱形状をなす請求項１乃至４いずれか１記載のクローラの芯金。
【発明の詳細な説明】
【技術分野】
【０００１】
本発明は引っ張り補強部材としてスチールコードを用いないクローラ（スチールコードレスクローラ）の芯金に関するものである。
【背景技術】
【０００２】
従来のクローラは芯金を埋設した形式のものと芯金を用いないいわゆる芯金レス形式のものがあるが、いずれにしてもクローラの長手方向にスチールコードが無端状に埋設されており、クローラにかかる引っ張り応力に抗している。しかるに、ゴム欠け等により外部から水分が侵入して錆等が生じ、これによって最終的にはスチールコード切れ等が発生することは否めない。
【０００３】
又、スチールコードを無端状にする方式もいくつかあるが、通常は有端のスチールコードが埋設され、その両端部を重ね合わせることによって再加硫して無端状としている。このため、重ね合わせ部はスチールコードが二重となっている。従って、比較的高速で走行した場合には、オペレーターに対して大きな振動がもたらされることとなる。
【０００４】
比較的切断しやすいスチールコードに代わり、又、無端状にする際の欠点等を補うため、スチールコードに代わってリンクを用いる提案がなされている（特許文献１）。
【０００５】
【特許文献１】特開２０００−３１３３７１号公報
【０００６】
しかるに、かかる提案の技術は確かにスチールコードは用いないことは事実ではあるが、芯金及びリンクを構成する部品点数が多く、これを組み立てるのがかなり手間がかかる欠点がある。一方、全体として重量が重くなるという点も指摘されており改良すべき点が多い。
【０００７】
このため、本出願人は既にいくつかのスチールコードレスクローラ用の芯金を提案している。即ち、芯金の翼部に閉鎖空間を備え、隣り合う芯金の翼部の閉鎖空間の間をＣ型リンクをもって連結する構造や、翼部の一部を円柱状とし、隣り合う芯金の円柱間にＯ型リンクを嵌め込む構造である。しかしながら、前者にあっては、結果的に翼部の幅が広くなるので、ショートピッチクローラには採用できないこと、Ｃ型リンクの単価が高いこと等が言われ、後者にあっては、リンクが芯金から外れやすいこと、脱輪性が良くないこと、応力が集中するため芯金が折れやすいこと等が言われている。
【発明の開示】
【発明が解決しようとする課題】
【０００８】
本発明は上記のような従来の技術に鑑みてなされたものであり、引っ張り補強部材としてスチールコードを用いないクローラの新規な芯金を提供するものである。
【課題を解決するための手段】
【０００９】
本発明は、一対の膨出部とこの膨出部を繋ぐ架橋部とからなる連結ピンと、スプロケットとの係合部とその左右に伸びる翼部と前記係合部を挟んでクローラの内周面より突出する一対の突起とよりなる芯金であって、芯金の翼部及び係合部をもって上下に分割し、分割翼部に前記連結ピンの膨出部が二つ入る開放部と、この開放部に連なり、芯金の前後方向に連結ピンの架橋部が嵌り込む開口部を形成し、隣り合う芯金の開口部に連結ピンの架橋部を嵌め込むと共に、開放部内に連結ピンの膨出部を嵌め込み、分割翼部を一体としたことを特徴とするクローラの芯金に係るものである。
【００１０】
そして、上下の分割翼部に固定用穴を穿孔し、固定部材をもって上下の分割翼部を固定し、特に、翼部の開放部の左右に固定用穴を穿孔したクローラの芯金である。
【発明の効果】
【００１１】
本発明の芯金は部材が少なく、しかもその組み立ても容易であり、スチールコードレスクローラが容易に構成されるものである。
【発明を実施するための最良の形態】
【００１２】
先ず、連結ピンの具体例について述べれば、芯金の前後方向の断面が円形をなす二つの膨出部と、この膨出部を繋ぐ架橋部とからなる連結ピンであって、膨出部は後述する芯金の翼部における開放部内に嵌め込まれ、この部位を基点として曲げがもたらさせるため、芯金の前後方向の断面は円形とするのが最も好ましい。一方、架橋部は膨出部を連結する部位であるが、クローラに加わる引っ張り力に抗するものであって、その断面は一般的には板状であるが、その形状は特に限定されない。
【００１３】
そして、膨出部は一般的には断面が球状或いは円柱状をなし、後者の場合には、円柱部と架橋部との連結部位は円柱部の中央が一般的ではあるが、これが偏って連結されている場合もある。更には、組み合わされる膨出部によって、全体の断面が略円形又は楕円形をなす形状とされることもある。
【００１４】
芯金の構造全体について言えば、スプロケットとの係合部とその左右に伸びる翼部と前記係合部を挟んでクローラの内周面より突出する一対の突起とよりなる芯金である。そして、翼部及び係合部をもって上下に分割し、分割された翼部にて前記連結ピンの膨出部が二つ入る開放部が形成され、かつ、前後方向にこの開放部より連結ピンの架橋部が嵌り込む開口部を形成したものである。
【００１５】
分割翼部にて形成される開放部は、突き合わされる翼部の面に二つの窪みが形成され、これが合わされて開放部とされるのが一般的ではあるが、場合によっては一方の分割翼部側にのみ窪みが形成され、他方側の翼部はこれを塞ぐだけの形状でもよい。又、係る窪みは翼部の上又は下に貫通した窪みであってもよい。又、開口部にあっても連結ピンの架橋部が嵌り込めるだけの大きさであれば特に限定はなく、開放部と同様に分割翼部の一方側にのみ形成したものでもよい。ただし、連結ピンの架橋部は、クローラが走行に供される際に、特にスプロケットやアイドラーに巻き掛けされる際に膨出部を中心に回動することから、その開口部は前後方向に拡角の開口部とされるのが好ましい。
【００１６】
そして、隣り合う芯金の開口部に連結ピンの架橋部を嵌め込むと共に、開放部内に連結ピンの膨出部を嵌め込み、分割翼部を一体としてたスチールコードレスクローラ用の芯金を提供するものである。
【００１７】
尚、分割翼部の一体化について言えば、上下の分割翼部に固定用穴を穿孔し、例えばボルト及びナット等の固定部材をもって上下の分割翼部を固定した芯金である。かかる穿孔部位は強度上から、翼部の開放部の左右に穿孔されるのが一般的である。
【実施例】
【００１８】
以下、好適例をもって本発明を更に詳細に説明する。図１は本発明の芯金に用いられる連結ピン１０の第１例を示す平面図、図２は側面図である。そして、膨出部の一つである円柱部１１、１２であり、１３はこれを連結した架橋部である。架橋部１３は円柱部１１、１２の中央部に連なるものである。係る円柱部１１、１２は後述する芯金の開放部内にて係る円柱部１１、１２を中心に回動するものであり、芯金の前後方向（Ｘ方向）の断面は円形をなしている。
【００１９】
図３は連結ピン１０の第２例を示す平面図である。この例では、架橋部１３は円柱部１１、１２に対して中央より偏心して連なる形状となっている。
【００２０】
図４は連結ピン１０の第３例を示す平面図である。そして、膨出部の一つである球状部１４、１５が架橋部１３にて連結されている。球状部１４、１５は芯金の前後方向（Ｘ方向）の断面は円形をなしている。
【００２１】
図５は本発明の芯金の平面図、図６は芯金の側面図である。芯金２０は上下に二分（２０Ａ、２０Ｂ）されている。図７は上芯金２０Ａの内面図であり、図８は下芯金２０Ｂの内面図である。又、図９はａーａ線での断面図である。
【００２２】
２１はスプロケットとの係合部であり、２２、２３はその左右に伸びる翼部である。そして、前記係合部２１を挟んでクローラの内周面より突出する一対の突起２４、２５とよりなる芯金である。そして、芯金２０は翼部２２、２３及び係合部２１をもって上下に分割して上芯金２０Ａと、下芯金２０Ｂとに分割したものである。
【００２３】
そして、分割翼部２２ａ、２２ｂ及び２３ａ、２３ｂによって、図１、２に示す連結ピン１０の円柱部１１、１２が二つ入る開放部２６、２７が形成されている。即ち、分割翼部２２ａ、２２ｂ及び２３ａ、２３ｂに、半円形状が二つ入る窪み２６ａ、２６ｂ、２７ａ、２７ｂが形成され、前記の開放部２６、２７が形成される。、又、２８は開放部２６、２７を挟んでその左右に固定用の穴であり、ここに図示しないボルト及びナットをもって上下の二分された芯金を一体化するものである。
【００２４】
図１０はｂーｂ線での断面図である。２９は開放部２６、２７より芯金の前後（Ｙ方向）に向かって形成された開口部であり、連結ピン１０の架橋部１３が嵌め込まれる部位である。即ち、分割翼部２２ａ、２２ｂ及び２３ａ、２３ｂに夫々開口部２９の半分づつの開口部２９ａ、２９ｂが形成され、開口部２９が形成される。
【００２５】
図１１は芯金２０（図５）と連結ピン１０（図１）とを組み合わせたスチールコードレス芯金の平面図であり、図１２はｃーｃ線での断面図である。隣り合う芯金２０は連結ピン１０によって接続されるもので、円柱部１１、１２を開放部２６、２７内に納め、開口部２９に架橋部１３が納められて芯金２０、２０が連結されたものである。
【００２６】
開口部２９にあって、外側に向けて拡角の開口部２９としたものであり、これによって連結ピン１０の円柱部１１、１２を中心とする回動を保証するものである。
【００２７】
図１３は図３にて示した連結ピンを用いた芯金の図１１と同様の平面図である。この場合、円柱部１１、１２は左右方向に並べられて開放部２６、２７内に納められたものであり、翼部の前後方向の幅が小さくてすむという利点がある。
【００２８】
芯金の翼部の前後方向の幅を小さくするには膨出部を重ね合わせるのが効果的であり、図１４は連結ピン１０の第４例における状態図であり、一方の膨出部（例えば円柱部１２）が他方の膨出部（例えば円柱部１１）の窪み１６内に嵌り込んでいる例である。
【００２９】
図１５は連結ピン１０の第５例における膨出部の断面を示す図であり、膨出部１１、１２をほぼ半円柱状とし、両者を合わせた際に断面をほぼ円形状としたものである。尚、両者の間はある程度隙間を必要とするもので、図例はその突き合わせ部位が平行となっているが、両端部が後退する円弧状とすることも可能である。
【産業上の利用可能性】
【００３０】
本発明は以上の通りであり、スチールコードレスタイプのクローラに広く利用可能であり、その構造も従来のものよりもシンプルであり、かつ組み立ても比較的容易であり、その利用範囲は広い。
【図面の簡単な説明】
【００３１】
【図１】図１は本発明の芯金に用いられる連結ピンの第１例の平面図である。
【図２】図２は図１の側面図である。
【図３】図３は連結ピンの第２例を示す平面図である。
【図４】図４は連結ピンの第３例を示す平面図である。
【図５】図５は本発明の芯金の平面図である。
【図６】図６は図５の側面図である。
【図７】図７は上芯金２０Ａの内面図である。
【図８】図８は下芯金２０Ｂの内面図である。
【図９】図９はａーａ線での断面図である。
【図１０】図１０はｂーｂ線での断面図である。
【図１１】図１１は本発明の芯金の第１例を示す平面図である。
【図１２】図１２はｃーｃ線での断面図である。
【図１３】図１３は本発明の芯金の第２例を示す平面図である。
【図１４】図１４は第４例の連結ピン同士の状態を示す断面図である。
【図１５】図１５は第５例の連結ピン同士の状態を示す断面図である。
【符号の説明】
【００３２】
１１‥連結ピン、
１１、１２‥膨出部（円柱部）、
１３‥架橋部、
１４、１５‥膨出部（球状部）、
１６‥膨出部に形成した窪み、
２０‥芯金、
２０Ａ‥分割された上芯金、
２０Ｂ‥分割された下芯金、
２１‥スプロケットとの係合部、
２２、２３‥翼部、
２４、２５‥突起、
２２ａ、２２ｂ、２３ａ、２３ｂ‥分割翼部、
２６、２７‥開放部、
２６ａ、２６ｂ、２７ａ、２７ｂ‥窪み、
２８‥固定用穴、
２９‥開口部。
【図１】
2007062555.tif 000003
【図２】
2007062555.tif 000004
【図３】
2007062555.tif 000005
【図４】
2007062555.tif 000006
【図５】
2007062555.tif 000007
【図６】
2007062555.tif 000008
【図７】
2007062555.tif 000009
【図８】
2007062555.tif 000010
【図９】
2007062555.tif 000011
【図１０】
2007062555.tif 000012
【図１１】
2007062555.tif 000013
【図１２】
2007062555.tif 000014
【図１３】
2007062555.tif 000015
【図１４】
2007062555.tif 000016
【図１５】
2007062555.tif 000017